(57)【要約】【課題】可聴域の音声と共に、所定情報を示す高周波音を出力しても、当該所定情報を適切に伝送できるようにする。【解決手段】コンテンツ音声再生部７４は、マルチメディアコンテンツの音声信号を、可聴域の成分を有する第１音声信号として再生する。高周波音再生部７８は、所定情報から生成された高周波情報を、非可聴域の所定周波数帯の成分からなる第２音声信号に変換して再生する。遮断部７５は、第１音声信号のうち、所定周波数帯の成分を少なくとも遮断する。ミキシング部７６は、所定周波数帯の成分が遮断された第１音声信号と、第２音声信号とをミキシングすることで、第３音声信号を生成する。スピーカ８２は、第３音声信号に対応する音声を出力することで、所定情報を、当該音声のうち所定周波数帯の成分として伝送する。【選択図】図４
2016005268.tif 000002
【特許請求の範囲】
【請求項１】
可聴域の成分を有する第１音声信号を再生する第１再生手段と、
所定情報を、非可聴域の所定周波数帯の成分からなる第２音声信号に変換して再生する第２再生手段と、
前記第１音声信号のうち、前記所定周波数帯の成分を少なくとも遮断する遮断手段と、
前記所定周波数帯の成分が遮断された前記第１音声信号と、前記第２音声信号とをミキシングすることで、第３音声信号を生成するミキシング手段と、
前記第３音声信号に対応する音声を出力することで、前記所定情報を、前記音声のうち前記所定周波数帯の成分として伝送する音声出力手段と、
を備える情報伝送システム。
【請求項２】
前記所定周波数帯の候補が複数種類存在し、
複数種類の前記所定周波数帯の候補の中から、前記第２再生手段で用いる前記所定周波数帯を選択して設定する帯域設定手段を
さらに備える請求項１に記載の情報伝送システム。
【請求項３】
前記情報伝送システムは、第１装置及び、前記第１再生手段乃至前記音声出力手段を備える第２装置を含み、
前記第１装置は、
前記所定情報を前記所定周波数帯においてマッピングすることで、そのマッピングの結果を示す高周波情報に変換する高周波情報変換手段と、
前記高周波情報と、前記第１音声信号に対応する音源データとを結合することで、データストリームを生成するデータストリーム生成手段と、
前記データストリームを前記第２装置に送信する送信手段と、
を備え、
前記第２装置は、
前記データストリームを受信する受信手段をさらに備え、
前記第１再生手段は、前記データストリームに含まれる前記音源データに基づいて、前記第１音声信号を再生し、
前記第２再生手段は、前記データストリームに含まれる前記高周波情報に基づいて、前記第２音声信号を再生する、
請求項１又は２に記載の情報伝送システム。
【請求項４】
情報伝送システムが実行する情報伝送方法において、
可聴域の成分を有する第１音声信号を再生する第１再生ステップと、
所定情報を、非可聴域の所定周波数帯の成分からなる第２音声信号に変換して再生する第２再生ステップと、
前記第１音声信号のうち、前記所定周波数帯の成分を少なくとも遮断する遮断ステップと、
前記所定周波数帯の成分が遮断された前記第１音声信号と、前記第２音声信号とをミキシングすることで、第３音声信号を生成するミキシングステップと、
前記第３音声信号に対応する音声を出力することで、前記所定情報を、前記音声のうち前記所定周波数帯の成分として伝送する音声出力ステップと、
を含む情報伝送方法。
【請求項５】
情報伝送システムを制御するコンピュータに、
可聴域の成分を有する第１音声信号を再生する第１再生ステップと、
所定情報を、非可聴域の所定周波数帯の成分からなる第２音声信号に変換して再生する第２再生ステップと、
前記第１音声信号のうち、前記所定周波数帯の成分を少なくとも遮断する遮断ステップと、
前記所定周波数帯の成分が遮断された前記第１音声信号と、前記第２音声信号とをミキシングすることで、第３音声信号を生成するミキシングステップと、
前記第３音声信号に対応する音声を出力することで、前記所定情報を、前記音声のうち前記所定周波数帯の成分として伝送する音声出力ステップと、
を含む制御処理を実行させるプログラム。
【発明の詳細な説明】
【技術分野】
【０００１】
本発明は、情報伝送システム、情報伝送方法、及びプログラムに関する。
【背景技術】
【０００２】
従来より、情報を、高周波音に変換して伝送する技術が存在する（例えば特許文献１乃至３参照）。
高周波音は非可聴域であるため、人間に聴こえない状態で情報を伝送することができる。このため、映像の付帯音声（映画のセリフ等）や音楽等の可聴域の音声と共に、高周波音をスピーカ等から出力して、情報を伝送することも可能である。
【先行技術文献】
【特許文献】
【０００３】
【特許文献１】特開２０１２−１５５７０６号公報
【特許文献２】特開２００９−２７７２２号公報
【特許文献３】韓国特許１０−１４４７５０１号公報
【発明の概要】
【発明が解決しようとする課題】
【０００４】
しかしながら、特許文献１乃至３を含め従来の技術を適用して、可聴域の音声と共に、所定情報を示す高周波音を出力すると、当該所定情報を適切に伝送できない場合がある。特に所定情報が大容量であって、時間的に連続して高周波音を出力する場合、所定情報を適切に伝送できない確率が非常に高くなる。
【０００５】
本発明は、このような状況に鑑みてなされたものであり、可聴域の音声と共に、所定情報を示す高周波音を出力しても、当該所定情報を適切に伝送できるようにするものである。を目的とする。
【課題を解決するための手段】
【０００６】
上記目的を達成するため、本発明の一態様の情報伝送システムは、
可聴域の成分を有する第１音声信号を再生する第１再生手段と、
所定情報を、非可聴域の所定周波数帯の成分からなる第２音声信号に変換して再生する第２再生手段と、
前記第１音声信号のうち、前記所定周波数帯の成分を少なくとも遮断する遮断手段と、
前記所定周波数帯の成分が遮断された前記第１音声信号と、前記第２音声信号とをミキシングすることで、第３音声信号を生成するミキシング手段と、
前記第３音声信号に対応する音声を出力することで、前記所定情報を、前記音声のうち前記所定周波数帯の成分として伝送する音声出力手段と、
を備える。
【０００７】
前記所定周波数帯の候補が複数種類存在し、
複数種類の前記所定周波数帯の候補の中から、前記第２再生手段で用いる前記所定周波数帯を選択して設定する帯域設定手段を
さらに備えることができる。
【０００８】
前記情報伝送システムは、第１装置及び、前記第１再生手段乃至前記音声出力手段を備える第２装置を含み、
前記第１装置は、
前記所定情報を前記所定周波数帯においてマッピングすることで、そのマッピングの結果を示す高周波情報に変換する高周波情報変換手段と、
前記高周波情報と、前記第１音声信号に対応する音源データとを結合することで、データストリームを生成するデータストリーム生成手段と、
前記データストリームを前記第２装置に送信する送信手段と、
を備え、
前記第２装置は、
前記データストリームを受信する受信手段をさらに備え、
前記第１再生手段は、前記データストリームに含まれる前記音源データに基づいて、前記第１音声信号を再生し、
前記第２再生手段は、前記データストリームに含まれる前記高周波情報に基づいて、前記第２音声信号を再生する、
ようにすることができる。
【０００９】
本発明の一側面の情報伝送方法及びプログラムは、上述の本発明の一側面の情報伝送装置に対応する方法及びプログラムである。
【発明の効果】
【００１０】
本発明によれば、可聴域の音声と共に、所定情報を示す高周波音を出力しても、当該所定情報を適切に伝送できるようになる。
【図面の簡単な説明】
【００１１】
【図１】本発明の一実施形態に係る情報処理システムの構成を示す模式図である。
【図２】図１の情報処理システムのうち店舗装置のハードウェア構成を示すブロック図である。
【図３】図１の情報処理システムのうちコンテンツ配信サーバの機能的構成の一例を示す機能ブロック図である。
【図４】図１の情報処理システムのうち店舗装置の機能的構成の一例を示す機能ブロック図である。
【図５】図４の店舗装置の遮断部の説明をするための周波数特性の一例を示す図である。
【図６】図１の情報処理システムのうちユーザ端末の機能的構成の一例を示す機能ブロック図である。
【図７】図１の情報処理システムの処理の流れの一例を説明するフローチャートである。
【図８】図１の情報処理システムの処理の流れの一例を説明するフローチャートである。
【発明を実施するための形態】
【００１２】
図１は、本発明の一実施形態に係る情報処理システムの構成を示している。
図１に示す情報処理システムは、所定の店舗に配置されるｎ台（ｎは１以上の任意の整数値）の店舗装置１−１乃至１−ｎと、当該店舗に来店するｍ人（ｍは１以上の任意の整数値）のユーザの夫々により使用されるユーザ端末２−１乃至２−ｍと、コンテンツ配信サーバ３と、店舗管理サーバ４とを含む。
【００１３】
なお、以下、店舗装置１−１乃至１−ｎの夫々を個々に区別する必要がない場合、これらをまとめて「店舗装置１」と呼ぶ。同様に、ユーザ端末２−１乃至２−ｍの夫々を個々に区別する必要がない場合、これらをまとめて「ユーザ端末２」と呼ぶ。
【００１４】
店舗装置１は、例えばＰＯＳ端末として構成され、ＢＧＭや映画（音声含む）等の各種マルチメディアコンテンツを出力する。さらに、店舗装置１は、当該マルチメディアコンテンツの音声出力と共に、店舗情報を高周波音として出力する。
ここで、店舗情報とは、店舗からユーザに対して伝送する情報をいい、その内容は特に限定されない情報である。例えば、商品等の情報、当該商品等の注文や購入の操作方法を説明する情報、広告情報、イベントプロモーション情報等、各種各様の情報を店舗情報として採用することができる。さらに、広告情報は、店舗自体の広告情報であってもよいし、外部の広告サーバ（図示せず）にアクセスするための一種のチケット情報であってもよい。
詳細については後述するが、本実施形態の店舗装置１から高周波音として出力される店舗情報は、従来のような短いコード等小容量のデータである必要はなく、大容量のデータも採用することができる。さらに、この大容量のデータは、時間的に途切れることなく連続して店舗装置１から送信が可能である。
【００１５】
換言すると、店舗装置１とコンテンツ配信装置３とからなる情報伝送システムＩＳは、店舗情報をユーザ端末２に伝送することが可能なシステムである。即ち、本発明の一実施形態が、情報伝送システムＩＳである。
【００１６】
ユーザ端末２は、スマートフォン等で構成され、店舗装置１から出力された高周波音を入力し、当該高周波音から店舗情報を復元して、ユーザに提示する。店舗情報の提示を受けたユーザは、ユーザ端末２に対して各種操作をすることができる。この場合、ユーザ端末２は、当該操作を受付け、必要に応じて、当該操作の内容を店舗管理サーバ４等に送信する。
【００１７】
店舗管理サーバ４は、店舗情報を管理し、その店舗情報に対応して行われるユーザ端末２に対する操作の内容に従って、各種処理を実行する。
【００１８】
コンテンツ配信サーバ３は、店舗情報を受信し、当該店舗情報をマルチメディアコンテンツに結合したデータストリームを生成し、店舗装置１に送信する。
【００１９】
図２は、図１の情報処理システムのうち店舗装置１のハードウェア構成を示すブロック図である。
【００２０】
店舗装置１は、ＣＰＵ（Ｃｅｎｔｒａｌ  Ｐｒｏｃｅｓｓｉｎｇ  Ｕｎｉｔ）１１と、ＲＯＭ（Ｒｅａｄ  Ｏｎｌｙ  Ｍｅｍｏｒｙ）１２と、ＲＡＭ（Ｒａｎｄｏｍ  Ａｃｃｅｓｓ  Ｍｅｍｏｒｙ）１３と、バス１４と、入出力インターフェース１５と、出力部１６と、入力部１７と、記憶部１８と、通信部１９と、ドライブ２０と、を備えている。
【００２１】
ＣＰＵ１１は、ＲＯＭ１２に記録されているプログラム、又は、記憶部１８からＲＡＭ１３にロードされたプログラムに従って各種の処理を実行する。
ＲＡＭ１３には、ＣＰＵ１１が各種の処理を実行する上において必要なデータ等も適宜記憶される。
【００２２】
ＣＰＵ１１、ＲＯＭ１２及びＲＡＭ１３は、バス１４を介して相互に接続されている。このバス１４にはまた、入出力インターフェース１５も接続されている。入出力インターフェース１５には、出力部１６、入力部１７、記憶部１８、通信部１９及びドライブ２０が接続されている。
【００２３】
出力部１６は、スピーカや表示部等から構成され、各種情報を画像や音声として出力する。
入力部１７は、キーボードやマウス等から構成され、各種情報を入力する。
記憶部１８は、ハードディスクやＤＲＡＭ（Ｄｙｎａｍｉｃ  Ｒａｎｄｏｍ  Ａｃｃｅｓｓ  Ｍｅｍｏｒｙ）等で構成され、各種データを記憶する。
通信部１９は、他の装置（図１の例では店舗管理サーバ４等）との間で行う通信を制御する。
【００２４】
ドライブ２０は、必要に応じて設けられる。ドライブ２０には、磁気ディスク、光ディスク、光磁気ディスク、或いは半導体メモリ等よりなる、リムーバブルメディア２１が適宜装着される。ドライブ２０によってリムーバブルメディア４１から読み出されたプログラムは、必要に応じて記憶部２９にインストールされる。また、リムーバブルメディア４１は、記憶部２９に記憶されている各種データも、記憶部２９と同様に記憶することができる。
【００２５】
なお、図示はしないが、ユーザ端末２、コンテンツ配信サーバ３、及び店舗管理サーバ４のハードウェア構成も、基本的に図２に示す構成を有しているものとする。
【００２６】
次に、図３乃至図５を参照して、ユーザ端末２、コンテンツ配信サーバ３、及び店舗管理サーバ４の機能的構成の一例について説明する。
【００２７】
図３は、コンテンツ配信サーバ３の機能的構成の一例を示す機能ブロック図である。
図３に示すように、コンテンツ配信サーバ３においては、店舗情報取得部５１と、高周波情報変換部５２と、データストリーム生成部５３と、データストリーム送信部５４と、サウンドマップ設定部５５とが機能する。
また、コンテンツ配信サーバ３の記憶部の一領域には、サウンドマップ格納部６１と、マルチメディアコンテンツ保持部６２とが設けられる。
【００２８】
店舗情報取得部５１は、店舗管理サーバ４から送信された店舗情報を取得する。
【００２９】
高周波情報変換部５２は、サウンドマップ格納部６１に格納されたサウンドマップを用いて、店舗情報を高周波情報に変換する。
サウンドマップとは、デジタルデータ（店舗情報）の各値を高周波音の各周波数に夫々マッピングするための規則を定義した情報であり、デジタルデータの各値をマッピングできる高周波帯や、信号のシーケンスパターン等を含む情報である。
高周波情報とは、デジタルデータ（店舗情報）の各値を高周波帯の各周波数で示した情報、換言すると、当該デジタルデータ（店舗情報）を高周波音の形態でスピーカから出力させるために必要となる情報をいう。
本実施形態では、高周波帯域として、例えば１８ｋＨｚから２２ｋＨｚの帯域を採用している。これは、店舗装置１の後述するスピーカ８２の周波数応答性能、ユーザ端末２の後述するマイクロフォン１０１の性能、人間の非可聴帯域の特性、店舗内での人々の会話に基づく周囲の騒音の影響、オーディオ圧縮技術のサンプリング周波数等を考慮したものである。
なお、この高周波帯域は例示に過ぎず、後述するように、複数種類の高周波帯域を選択的に利用することもできる。
【００３０】
データストリーム生成部５３は、マルチメディアコンテンツ保持部６２に保持されたマルチメディアコンテンツのうち配信対象のデータに対して、高周波情報（店舗情報）を結合することで、配信用のデータストリームを生成する。
マルチメディアコンテンツと高周波情報との結合の手法は、特に限定されないが、本実施形態では次のような手法が採用されている。即ち、マルチメディアコンテンツをデータストリーム（パケットストリーム）の形態に変換しながら、高周波情報に対して圧縮処理を施して圧縮データとして、当該圧縮データをデータストリームのヘッダ領域に挿入する、という手法が採用されている。
なお、本実施形態で採用されたデータストリームは例示に過ぎず、マルチメディアコンテンツと高周波情報とを少なくとも含めば足り、各種各様の形態を取ることができる。例えば、本実施形態のようにマルチメディアコンテンツと高周波情報とを統合した単一のデータストリームを用いるようにしてもよいし、マルチメディアコンテンツを含むデータストリームと、高周波情報を含むデータストリームとを別々に用いるようにしてもよい。
【００３１】
データストリーム送信部５４は、高周波情報とマルチメディアコンテンツとを少なくとも含むデータストリームを、インターネット等のネットワーク（図示せず）を介して店舗装置１に送出する。
【００３２】
図４は、店舗装置１の機能的構成の一例を示す機能ブロック図である。
図４に示すように、店舗装置１においては、データストリーム受信部７１と、マルチメディアコンテンツ取得部７２と、コンテンツ画像再生部７３と、コンテンツ音声再生部７４と、遮断部７５と、ミキシング部７６と、高周波情報取得部７７と、高周波音再生部７８と、帯域設定部７９とが機能する。
また、出力部１６には、表示部８１と、スピーカ８２とが設けられる。
【００３３】
データストリーム受信部７１は、コンテンツ配信サーバ３から配信されたデータストリームを受信する。
マルチメディアコンテンツ取得部７２は、受信されたデータストリームのうちマルチメディアコンテンツ（データ）を取得する。
高周波情報取得部７７は、受信されたデータストリームのうち高周波情報を取得する。本実施形態では、高周波情報取得部７７は、受信されたデータストリームのヘッダ領域から圧縮データを抽出して、当該圧縮データに対して伸長復号処理を施すことで、高周波情報を取得する。
【００３４】
コンテンツ画像再生部７３は、マルチメディアコンテンツの画像信号を再生する。これにより、当該画像信号に対応する画像が表示部８１に表示される。
コンテンツ音声再生部７４は、マルチメディアコンテンツの音声信号を再生する。
遮断部７５は、マルチメディアコンテンツの音声信号のうち、所定の周波数Ｆｃｕｔ以上の成分を遮断して、それ以外の成分、即ち周波数Ｆｃｕｔ未満の成分を通過させる。なお、遮断部７５の技術的意義については、図５を参照して説明する。
【００３５】
高周波音再生部７８は、店舗情報を示す高周波情報に基づいて、高周波音の信号を再生する。即ち、店舗情報が、高周波音の信号の形態で再生される。
ミキシング部７６は、マルチメディアコンテンツの音声信号に対して、高周波音の信号をミキシングし、その結果得られる音声信号を出力する。これにより、当該音声信号に対応する音が、スピーカ８２から出力される。
【００３６】
詳細については後述するが、ユーザ端末２は、このようにしてスピーカ８２から出力された音を入力し、その入力音のうち高周波成分を抽出し、当該高周波成分から店舗情報を復元する。
従って、スピーカ８２から出力される音の高周波成分に、店舗情報以外のノイズが含まれていると、ユーザ端末２は店舗情報を適切に復元することができなくなる。
スピーカ８２から出力される音とは、上述したように、店舗情報の高周波音と、マルチメディアコンテンツの音声とがミキシングされたものである。マルチメディアコンテンツの音声の周波数帯域は、主に可聴域であるが、非可聴域の高周波成分を含んでいる場合がある。
このマルチメディアコンテンツの音声全体の中では、高周波成分は少ないかもしれないが、時間軸の観点でいうと、一瞬でも高周波成分が存在する場合、その高周波成分がノイズとして、店舗情報の高周波成分に重畳してしまう。その結果、高周波情報（店舗情報）を復元することは困難になる。
ここで、店舗情報が小容量であり時間的に不連続で送信できるものであれば、店舗情報を示す高周波音の送信時間は極めて短時間になる。そこで、当該高周波音を繰り返し再生することで、マルチメディアコンテンツの音声の高周波成分（ノイズ）が出力されるタイミングを避けて、スピーカ８２から出力することができる。
しかしながら、店舗情報が大容量であり時間的に連続して送信する必要がある場合、店舗情報を示す高周波音の繰り返し再生は非常に困難である。
そこで、本実施形態では、図５に示すように、マルチメディアコンテンツの音声ＣＭのうち、所定の周波数Ｆｃｕｔ以上の成分を遮断する遮断部７５が設けられている。
これにより、マルチメディアコンテンツの音声ＣＭのうち所定の周波数Ｆｃｕｔ未満の成分（図５中実線部分）と、当該所定の周波数Ｆｃｕｔを超えた高周波成分ＨＭ２（店舗情報）とをミキシングすることができる。つまり、マルチメディアコンテンツの音声ＣＭの高周波成分がノイズとして重畳されなくなる。その結果、ユーザ端末２側では、店舗情報を適切に復元することが可能になる。
【００３７】
ここで、本実施形態では、３種類の高周波帯域を夫々利用する高周波成分ＨＭ１乃至ＨＭ３を再生することが可能になっている。
そこで、帯域設定部７９は、高周波成分ＨＭ１乃至ＨＭ３の中から、高周波音再生部７８で再生対象を設定する。高周波音再生部７８は、再生対象として設定された高周波帯域の高周波音を再生する。
【００３８】
図６は、ユーザ端末２の機能的構成の一例を示す機能ブロック図である。
図６に示すように、ユーザ端末２においては、マイクロフォン１０１と、高周波成分抽出部１０２と、高周波情報復元部１０３と、店舗情報復元部１０４と、出力部１０５と、操作受付部１０６と、環境測定部１０７とが機能する。
【００３９】
マイクロフォン１０１は、店舗装置１のスピーカ８２（図４）から出力された音を入力し、音声信号に変換して出力する。
高周波成分抽出部１０２は、マイクロフォン１０１から出力された音声信号のうち、高周波成分を抽出する。
高周波情報復元部１０３は、抽出された高周波成分の信号から、高周波情報を復元する。
店舗情報復元部１０４は、高周波情報から店舗情報を復元する。
出力部１０５は、店舗情報を画像や音声の形態で出力する。
操作受付部１０６は、ユーザの操作を受け付ける。この場合、出力部１０５は、必要に応じて、ユーザの操作内容を、店舗管理サーバ４等に送信（出力）する。
環境測定部１０７は、マイクロフォン１０１から出力された音声信号に基づいて、周囲の環境を測定する。この場合、出力部１０５は、その測定結果をコンテンツ配信サーバ３に送信する。なお、環境の測定結果の使用方法については、図８を参照して後述する。
【００４０】
次に、図７及び図８を参照して、このような機能的構成を有するユーザ端末１や店舗装置１等の処理の流れについて説明する。
【００４１】
図７のステップＳ１において、店舗管理サーバ４は、店舗情報を保存する。
ステップＳ１１において、コンテンツ配信サーバ３のサウンドマップ設定部５５（図３）は、サウンドマップをサウンドマップ格納部６１に保存する。
店舗情報が店舗管理サーバ４からコンテンツ配信サーバ３に送信されると、処理はステップＳ１２に進む。
ステップＳ１２において、高周波情報変換部５２は、ステップＳ１１の処理で保存されたサウンドマップを用いて、店舗情報を高周波情報に変換する。
ステップＳ１３において、データストリーム生成部５３は、ステップＳ１２の処理で店舗情報から変換された高周波情報を、配信対象のマルチメディアコンテンツに結合することで、データストリームを生成する。
ステップＳ１４において、データストリーム送信部５４は、ステップＳ１３の処理で生成されたデータストリームを店舗装置１に配信する。
【００４２】
店舗装置１のデータストリーム受信部７１が、コンテンツ配信サーバ３から配信されたデータストリームを受信した場合、処理はステップＳ２１に進む。
ステップＳ２１において、コンテンツ音声再生部７４は、受信されたデータストリームのうち、マルチメディアコンテンツの音声信号を再生する。
ステップＳ２２において、遮断部７５は、ステップＳ２１の処理で再生されたマルチメディアコンテンツの音声信号のうち、高周波成分、即ち所定の周波数Ｆｃｕｔ以上の成分をカットする。
ステップＳ２３において、高周波音再生部７８は、受信されたデータストリームのうち高周波情報に基づいて、高周波音の信号を再生する。
ステップＳ２４において、ミキシング部７６は、ステップＳ２２の処理で高周波成分がカットされたマルチメディアコンテンツの音声信号に対して、ステップＳ２３の処理で再生された高周波音の信号をミキシングする。
ステップＳ２５において、ミキシング部７６は、ステップＳ２４の処理の結果得られる音声信号を出力する。これにより、当該音声信号に対応する音が、スピーカ８２から出力される。すると、ユーザ端末２側で、次のような一連の処理が実行される。
【００４３】
ステップＳ３１において、マイクロフォン１０１は、店舗装置１のスピーカ８２から出力された音を入力し、音声信号に変換して出力する。
ステップＳ３２において、高周波成分抽出部１０２は、マイクロフォン１０１から出力された音声信号のうち、高周波成分を抽出する。高周波情報復元部１０３は、抽出された高周波成分の信号から、高周波情報を認識（復元）する。
ステップＳ３３において、店舗情報復元部１０４は、高周波情報から店舗情報を復元する。
ステップＳ３４において、出力部１０５は、店舗情報を画像や音声の形態で出力する。
ステップＳ３５において、操作受付部１０６は、ユーザの操作を受け付ける。
出力部１０５が、ステップＳ３５の処理で受け付けられた操作の内容を、店舗管理サーバ４に送信（出力）する。
ステップＳ２において、店舗管理サーバ４は、ユーザの操作内容に対応する所定の処理（以下、「ユーザ操作処理」と呼ぶ）を実行する。
【００４４】
ここで、ユーザ操作処理の具体例について説明する。
本例では、店舗の各商品をデジタルメニューとしてユーザ端末２に提示すると、ユーザは、デジタルメニューの中から所定商品を注文する操作をユーザ端末２に対して行うものとする。そして、注文の内容（操作内容）に従った処理が、ユーザ操作処理として店舗管理サーバ４により実行されるものとする。
【００４５】
具体的には、ステップＳ１において、特定の店舗のデジタルメニューのデータが店舗情報として保存される。
つまり、図７のコンテンツ配信サーバ３のステップＳ１２乃至Ｓ１４の処理、及び、店舗装置１のステップＳ２１乃至Ｓ２５の処理により、特定の店舗のデジタルメニューが高周波音として、マルチメディアコンテンツの音声とミキシングされて、店舗装置１のスピーカ８２から出力される。
ユーザ端末２側のステップＳ３１乃至Ｓ３４の処理により、スピーカ８２から出力された音のうち高周波成分が抽出され、当該高周波成分から高周波情報が認識され、当該高周波情報から店舗情報、即ち、特定店舗のデジタルメニューが復元されて、ユーザに提示される。
ユーザは、ユーザ端末２に対して、デジタルメニューの中から所定商品を注文する操作をする。
すると、ステップＳ３５において、操作受付部１０６は、当該操作を受け付ける。出力部１０５は、当該操作の内容を、店舗管理サーバ４に送信（出力）する。
ステップＳ２において、店舗管理サーバ４は、ユーザ操作処理として、所定商品の注文を受け付け、特定の店舗においてその注文に対して適切な対応がなされるように各種処理を実行する。
例えば、店舗管理サーバ４は、操作をしたユーザ端末２やユーザを特定可能な情報（以下、「ユーザ情報」と呼ぶ）を、特定の店舗の店舗装置１等に対して通知する。そして、店舗管理サーバ４は、当該店舗装置１から注文の処理の完了通知を受けた場合、当該完了通知を、ユーザ端末２に通知する。
【００４６】
ここで、店舗管理サーバ４が複数の店舗を管理している場合、ユーザ端末２からの注文を対応すべき店舗を特定する必要がある。
そこで例えば、ユーザ端末２は、所定商品を注文する操作を受付けた際に、その操作内容と共に、自己の位置情報（例えばＧＰＳ情報）を店舗管理サーバ４に通知する。店舗管理サーバ４は、位置情報と、各店舗の位置情報とを比較することにより、店舗を特定することができる。
また例えば、ユーザ端末２は、所定商品を注文する操作を受付けた際に、その操作内容と共に、注文を処理する店舗の識別コードを店舗管理サーバ４に通知する。店舗管理サーバ４は、通知された識別コードにより、店舗を特定することができる。
【００４７】
ここで、ユーザ端末２は、例えば所定のアプリケーションプログラムをインストールすることで、複数の店舗の夫々のオーディオ環境に応じて、店舗情報の高周波音を最適化するためのチューニング（以下、「最適化チューニング」と呼ぶ）を実現することができる。
図８は、このような最適化チューニングを実行する場合の処理の流れを示すフローチャートである。
【００４８】
複数の店舗の夫々の立地や周辺環境等の各種要因から、雑音特性は夫々異なる。従って、高周波音が用いる高周波帯域として、予めデフォルトで設定された帯域（例えば１８ｋＨｚ〜２２ｋＨｚであり、以下「標準帯域」と呼ぶ）の一部に多大なノイズが含まれる店舗もでてくる。
このような店舗に対して、標準帯域を適用すると、ユーザ端末２側で店舗情報が適切に復元できなくなるおそれがある。
そこで、例えば当該店舗の店主が、自己のスマートフォンをユーザ端末２として用いて、上述のアプリケーションプログラムを実行すると、図８に示す一連の処理が実行される。即ち、最適化チューニングが行われ、当該店舗にとって最適な周波数帯域に変更される。
なお、この最適化チューニングの過程で、当該店舗の雑音環境が特別ではなく標準帯域で十分であると判断された場合、周波数帯域として標準帯域が維持されるようにしてもよい。
【００４９】
ユーザ端末２は、上述の所定のアプリケーションプログラムを起動すると、処理をステップＳ５１に進める。
ステップＳ５１において、ユーザ端末２は、最適化チューニングを行う対象の店舗の識別情報（識別コード等）を設定する。
店舗識別情報の設定手法は、特に限定されず、例えば、店舗管理サーバ４から高周波音の形態で提供されたものを設定する手法、店舗装置１に接続されたＮＦＣタグを用いて設定する手法、上述の所定のアプリケーションプログラムの一機能（例えばメニューを介して直接入力する機能）を用いて設定する手法等、各種各様の手法を採用することができる。
ステップＳ５２において、環境測定部１０７は、マイクロフォン１０１への入力音に基づいて、周囲の環境を測定する。具体的には環境測定部１０７は、その店舗における入力音を解析し、周波数帯域毎のノイズレベルを測定し、その測定結果を示す情報（以下、「環境分析情報」と呼ぶ）を生成する。
【００５０】
店舗識別情報と環境分析情報は、ユーザ端末２の出力部１０５から出力されて、コンテンツ配信サーバ３に送信される。
これにより、コンテンツ配信サーバ３において、処理はステップＳ７１に進む。
ステップＳ７１において、コンテンツ配信サーバ３のサウンドマップ設定部５５（図３）は、標準帯域に基づくサウンドマップ（以下、「汎用サウンドマップ」と呼ぶ）を保存する。
【００５１】
ステップＳ７２において、サウンドマップ設定部５５は、店舗識別情報に基づいて、当該店舗を特定する。また、サウンドマップ設定部５５は、最適化チューニングを実行するのが妥当なのか否かのチェック、即ち最適性チェックを行う。
最適性チェックの内容は、特に限定されない。
例えば、サウンドマップ設定部５５は、ユーザ端末２の位置情報（ＧＰＳ情報等）と当該店舗の位置情報とを照合することにより、当該ユーザ端末２が、最適化チューニングのための上述の所定のアプリケーションプログラムを、当該店舗で起動させたか否かをチェックすることができる。
例えば、サウンドマップ設定部５５は、ユーザ端末２が無線ＬＡＮを介してのみコンテンツ配信サーバ３にアクセス可能となるような制限を事前に施した状態で、環境分析情報の伝送ルート（パス）を追跡して、無線ＬＡＮのＡＰが当該店舗のものであるか否かをチェックすることができる。
【００５２】
ステップＳ７３において、サウンドマップ設定部５５は、ユーザ端末２から提供された環境分析情報に基づいて、高周波領域の中で高周波ノイズレベルが低い領域を選定し、選定した領域でマッピングされるように、サウンドマップを変更する。
ステップＳ７４において、サウンドマップ設定部５５は、ステップＳ７３の処理による変更後のサウンドマップを、当該店舗の最適化サウンドマップとして別途管理する。
即ち、サウンドマップ格納部６１には、汎用サウンドマップと、当該店舗の最適化サウンドマップとが夫々独立して格納される。
【００５３】
この場合、図８には図示はしないが、当該店舗の最適化サウンドマップを用いて図７のステップＳ１２及びＳ１３の処理が実行されて、データストリーム（特に以下「テストデータストリーム」と呼ぶ）が生成される。
ステップＳ７５において、データストリーム送信部５４は、当該店舗の最適化サウンドマップを用いて生成されたテストデータストリームを店舗装置１に配信する。
【００５４】
店舗装置１は、テストデータストリームを処理対象として、ステップＳ６１乃至Ｓ６５の処理、即ち上述の図７のステップＳ２１乃至Ｓ２５と基本的に同様の処理を実行する。その結果、マルチメディアコンテンツの音声と、テストデータストリームに含まれるテスト情報（店舗情報のテスト情報）の高周波音とがミキシングされた音声が、店舗装置１のスピーカ８２から出力される。
【００５５】
ユーザ端末１は、ステップＳ５３乃至Ｓ５６の処理として、上述の図７のステップＳ３１乃至Ｓ３４と基本的に同様の処理を実行することで、店舗情報が適切に復元されたか否かを検証する。
適切に復元された場合、ユーザは、その旨をコンテンツ配信サーバ３に対して通知すべく、ユーザ端末１に対して所定の操作をする。ステップＳ５７において、ユーザ端末１は、ユーザ操作を受付ける。
当該ユーザ操作の内容は、コンテンツ配信サーバ３に送信される。これにより、次回以降、当該店舗の店舗装置１に対しては、当該サウンドマップを用いて生成されたデータストリームが配信される。
【００５６】
ここで、複数の店舗が存在する場合、最適化サウンドマップが生成されている場合もあるし、最適化サウンドマップが生成されていない場合もある。
そこで、コンテンツ配信サーバ３は、複数の最適化サウンドマップが存在する場合、複数の最適化サウンドマップ及び汎用サウンドマップの夫々を用いてデータストリームを夫々生成して順次配信することができる。
この場合、最適化サウンドマップが生成済みの店舗装置１は、自己の最適化サウンドマップを用いて生成されたデータストリームを抽出して、図７のステップＳ２１乃至Ｓ２５の処理を実行する。
これに対して、最適化サウンドマップが生成済みの店舗装置１は、汎用サウンドマップを用いて生成されたデータストリームを抽出して、図７のステップＳ２１乃至Ｓ２５の処理を実行する。
【００５７】
以上本発明の一実施形態について説明したが、本発明は、上述の実施形態に限定されるものではなく、本発明の目的を達成できる範囲での変形、改良等は本発明に含まれるものである。
【００５８】
例えば、上述の実施形態では、店舗情報が高周波音として伝送されたが、ユーザ端末２は自在に持ち運び可能な携帯端末であることから、伝送対象の情報は特に店舗情報に限定されない。
換言すると、本発明が適用される情報伝送システムは、高周波音を入力可能な端末（上述の実施形態ではユーザ端末２）が存在し得る場所に、高周波音が出力可能なスピーカを設置することが可能であれば足り、上述の実施形態のように特に店舗に適用する必要はない。従って、高周波音として伝送される所定情報は、任意の情報でよい。
【００５９】
また、図３、図４、及び図６の機能的構成は例示に過ぎず、特に限定されない。即ち、上述した一連の処理を全体として実行できる機能が情報伝送システムに備えられていれば足り、この機能を実現するためにどのような機能ブロックを用いるのかは特に図３、図４、及び図６の例に限定されない。また、機能ブロックの存在場所も、図３、図４、及び図６に特に限定されず、任意でよい。
例えば、店舗装置１の機能ブロックと、コンテンツ配信装置３の機能ブロックとを１台の装置に集約してもよい。この場合、特にデータストリームの形態で伝送する必要は無い。換言すると、マルチメディアコンテンツと、所定情報とを別々に取得してもよい。
また、高周波音の信号とミキシングされる音声信号も、特にマルチメディアコンテンツの音声信号である必要はなく、任意の音源からの音声信号を採用することができる。
【００６０】
また、１つの機能ブロックは、ハードウェア単体で構成してもよいし、ソフトウェア単体で構成してもよいし、それらの組み合わせで構成してもよい。
【００６１】
各機能ブロックの処理をソフトウェアにより実行させる場合には、そのソフトウェアを構成するプログラムが、コンピュータ等にネットワークや記録媒体からインストールされる。
コンピュータは、専用のハードウェアに組み込まれているコンピュータであってもよい。また、コンピュータは、各種のプログラムをインストールすることで、各種の機能を実行することが可能なコンピュータ、例えばサーバの他汎用のスマートフォンやパーソナルコンピュータであってもよい。
【００６２】
このようなプログラムを含む記録媒体は、プレイヤーにプログラムを提供するために装置本体とは別に配布される図示せぬリムーバブルメディアにより構成されるだけでなく、装置本体に予め組み込まれた状態でプレイヤーに提供される記録媒体等で構成される。
【００６３】
なお、本明細書において、記録媒体に記録されるプログラムを記述するステップは、その順序に沿って時系列的に行われる処理はもちろん、必ずしも時系列的に処理されなくとも、並列的或いは個別に実行される処理をも含むものである。
また、本明細書において、システムの用語は、複数の装置や複数の手段等より構成される全体的な装置を意味するものとする。
【００６４】
換言すると、本発明が適用される情報伝送システムは、上述の図１の実施形態としての情報伝送システムＩＳを含め、次のような構成を有する各種各様の実施形態を取ることができる。
即ち、本発明が適用される情報処理システムは、
可聴域の成分を有する第１音声信号を再生する第１再生手段（例えば図４のコンテンツ音声再生部７４）と、
所定情報を、非可聴域の所定周波数帯の成分からなる第２音声信号に変換して再生する第２再生手段（例えば図４の高周波音再生部７８）と、
前記第１音声信号のうち、前記所定周波数帯の成分を少なくとも遮断する遮断手段（例えば図４の遮断部７５）と、
前記所定周波数の成分が遮断された前記第１音声信号と、前記第２音声信号とをミキシングすることで、第３音声信号を生成するミキシング手段（例えば図４のミキシング部７６）と、
前記第３音声信号に対応する音声を出力することで、前記所定情報を、前記音声のうち前記所定周波数帯の成分として伝送する音声出力手段（例えば図４のスピーカ８２）と、
を備える。
【００６５】
これにより、可聴域の音声（第１音声信号に対応する音声）と共に、所定情報を示す高周波音（第２音声信号に対応する高周波音）を出力しても、当該所定情報を適切に伝送できるようになる。
即ち、映像の付帯音声（映画のセリフ等）や音楽等の可聴域の音声信号が第２音声信号として採用されると、非可聴域の高周波成分も含まれている場合がある。
この第２音声信号の高周波成分は、第２音声信号が利用する所定周波数帯域内の周波数の成分を有している場合、第１音声信号をそのままの状態で第２音声信号にミキシングすると、第１音声信号の高周波成分がノイズとして、高周波音に重畳されることになる。
このノイズが重畳された高周波音から、所定情報を復元することは困難である。
そこで、上述の遮断手段が第１音声信号の高周波成分を遮断することで、ノイズが高周波音に重畳されなくなる。
従って、ノイズが重畳されていない高周波音から、所定情報が適切に復元可能になる。
【００６６】
換言すると、このように所定情報を適切に復元するためには、遮断手段は、第１音声信号のうち、第２音声信号で用いられる所定周波数帯域の成分のみをカットすれば足りる。即ち、上述の実施形態の遮断部７５は、周波数Ｆｃｕｔ以上の周波数成分を一律にカットしたが、特に一律にカットする必要はない。
また、第２音声信号で用いられる所定周波数帯が可変する場合、遮断手段は、それに応じて、遮断する周波数帯域を可変するようにすればよい。
【００６７】
ここで、前記所定周波数帯の候補が複数種類存在し、
複数種類の前記所定周波数帯の候補の中から、前記第２再生手段で用いる前記所定周波数帯を選択して設定する帯域設定手段（例えば図４の帯域設定部７９）を
さらに備えてもよい。
【００６８】
また、前記情報伝送システムは、第１装置（例えば図３等のコンテンツ配信装置３）及び、前記第１再生手段乃至前記音声出力手段を備える第２装置（例えば図４等の店舗装置２）を含む。
前記第１装置は、
前記所定情報を前記所定周波数帯においてマッピングすることで、そのマッピングの結果を示す高周波情報に変換する高周波情報変換手段（例えば図３の高周波情報変換部５２）と、
前記高周波情報と、前記第１音声信号に対応する音源データとを結合することで、データストリームを生成するデータストリーム生成手段（例えば図３のデータストリーム生成部５３）と、
前記データストリームを前記第２装置に送信する送信手段（例えば図３のデータストリーム送信部５４）と、
を備える。
前記第２装置は、
前記データストリームを受信する受信手段（例えば図４のデータストリーム受信部７１）をさらに備え、
前記第１再生手段は、前記データストリームに含まれる前記音源データに基づいて、前記第１音声信号を再生し、
前記第２再生手段は、前記データストリームに含まれる前記高周波情報に基づいて、前記第２音声信号を再生する、
ようにしてもよい。
【符号の説明】
【００６９】
１、１−１乃至１−ｎ・・・店舗装置、２、２−１乃至２−ｍ・・・ユーザ端末、３・・・コンテンツ配信サーバ、４・・・店舗管理サーバ、１１・・・ＣＰＵ、５１・・・店舗情報取得部、５２・・・高周波情報変換部、５３・・・データストリーム生成部、５４・・・データストリーム送信部、５５・・・サウンドマップ設定部、６１・・・サウンドマップ格納部、６２・・・マルチメディアコンテンツ保持部、７１・・・データストリーム受信部、７２・・・マルチメディアコンテンツ取得部、７３・・・コンテンツ画像再生部、７４・・・コンテンツ音声再生部、７５・・・遮断部、７６・・・ミキシング部、７７・・・高周波情報取得部、７８・・・高周波音再生部、７９・・・帯域設定部、８１・・・表示部、８２・・・スピーカ、１０１・・・マイクロフォン、１０２・・・高周波成分抽出部、１０３・・・高周波情報復元部、１０４・・・店舗情報復元部、１０５・・・出力部、１０６・・・操作受付部、１０７・・・環境測定部
【図１】
2016005268.tif 000003
【図２】
2016005268.tif 000004
【図３】
2016005268.tif 000005
【図４】
2016005268.tif 000006
【図５】
2016005268.tif 000007
【図６】
2016005268.tif 000008
【図７】
2016005268.tif 000009
【図８】
2016005268.tif 000010